(57)【要約】【課題】書架の棚部を常に所定の照度で照らすことができる多連式書架を提供する。【解決手段】少なくとも前後面のいずれか一方に上下複数段の棚部７が設けられた書架２，２，…を、所定間隔離間して前後方向に複数配置し、書架２の最上部に配される棚部７から上方に延びる上方延長部３，３，…の上端部に対して、前後に延びる頭繋ぎ部材４，４，…を固定することにより隣接する書架２，２，…同士が連結された多連式書架１であって、上方延長部３には、アーム１５が設けられており、アーム１５には、棚部７の手前側端部１１ａよりも手前側に延びた部分に照明部材１８が取付けられている。【選択図】図１
2015134050.tif 000002
【特許請求の範囲】
【請求項１】
少なくとも前後面のいずれか一方に上下複数段の棚部が設けられた書架を、所定間隔離間して前後方向に複数配置し、
前記書架の最上部に配される棚部から上方に延びる上方延長部の上端部に対して、前後に延びる頭繋ぎ部材を固定することにより隣接する書架同士が連結された多連式書架であって、
前記上方延長部には、アームが設けられており、前記アームにおける前記棚部の手前側端部よりも手前側に延びた部分に照明部材が取付けられていることを特徴とする多連式書架。
【請求項２】
前記上方延長部は、床面から立設された前記書架の支柱に連結される延長支柱であることを特徴とする請求項１に記載の多連式書架。
【請求項３】
前記上方延長部が、上端から水平方向に前記アームが延設した下方分割体の上端に、上端面に前記頭繋ぎ部材が架設可能な上方分割体を連結したものであることを特徴とする請求項１または２に記載の多連式書架。
【請求項４】
前記アームは、前記頭繋ぎ部材に対し上下方向に所定間隔を隔てて平行に設けられているとともに、１つの棚部に対して複数の前記アームが左右方向に所定間隔を隔てて設けられており、前記左右に隣接するアームの先端部同士の間に前記照明部材が架設されている
ことを特徴とする請求項１ないし３のいずれかに記載の多連式書架。
【発明の詳細な説明】
【技術分野】
【０００１】
本発明は、所定間隔を隔てて並列した複数の書架が、頭繋ぎ材により上方で連結された多連式書架に関する。
【背景技術】
【０００２】
従来、図書館等で用いられる書架は、前後の奥行を書籍の大きさに合わせて小さくして書籍を取り出しやすくするとともに、横幅を大きくして大量に書籍を収容できるものが一般的であり、このような書架を前後に複数列配置していた。書架は、上記のような構造であるため、地震等の強い揺れにより前後に転倒しやすくなっており、１つの書架が倒れることにより前後に配置されたその他の書架が連鎖的に倒れることがあった。そのため、複数の書架の転倒を防止することが要望されていた。
【０００３】
そこで、複数の書架が転倒することを防止する態様の１つとして、例えば、特許文献１に示される多連式書架が開発されている。この多連式書架は、書籍を収容する単柱式書棚の棚支柱が、当該単柱式書棚の天板よりも上方に延びており、その上端が水平に延びるＵ字状チャンネル材により隣接する単柱式書棚が連結されているとともに、Ｕ字状中継ぎチャンネル材により隣接するＵ字状チャンネル材を連結して補強している。これにより、地震等の大きな揺れに対する強度が高められ、書架の転倒が防止されている。また、隣り合うＵ字状中継ぎチャンネル材同士の間には、蛍光灯取付けパネルが架設されており、この蛍光灯取付けパネルに蛍光灯が取り付けられているため、隣り合う単柱式書棚同士の間の通路を照らすことができるようになっている。
【先行技術文献】
【特許文献】
【０００４】
【特許文献１】実公昭６２−１１４７０号公報（第３頁、第７図）
【発明の概要】
【発明が解決しようとする課題】
【０００５】
しかしながら、特許文献１の多連式書架にあっては、蛍光灯取付けパネルが、隣り合うＵ字状中継ぎチャンネル材同士の間に架設され、高い位置に配置された蛍光灯取付けパネルの蛍光灯により、隣り合う単柱式書棚同士の間の通路を全体的に照らすようになっている。そのため、この多連式書架が適用される部屋の大きさや使い勝手などの理由で、隣り合う単柱式書棚同士の間隔を広く設定変更した際には、単柱式書棚同士の棚板の正面側を照らす光が弱くなり、単柱式書棚に収容された書籍の背表紙等が見難くなっていた。
【０００６】
本発明は、このような問題点に着目してなされたもので、書架の棚部を常に所定の照度で照らすことができる多連式書架を提供することを目的とする。
【課題を解決するための手段】
【０００７】
前記課題を解決するために、本発明の多連式書架は、
少なくとも前後面のいずれか一方に上下複数段の棚部が設けられた書架を、所定間隔離間して前後方向に複数配置し、
前記書架の最上部に配される棚部から上方に延びる上方延長部の上端部に対して、前後に延びる頭繋ぎ部材を固定することにより隣接する書架同士が連結された多連式書架であって、
前記上方延長部には、アームが設けられており、前記アームにおける前記棚部の手前側端部よりも手前側に延びた部分に照明部材が取付けられていることを特徴としている。
この特徴によれば、アームが上方延長部に設けられており、そのアームにおける棚部の手前側端部よりも手前側に延びた部分に照明部材が取付けられていることから、照明部材が各棚部を手前側から照らすように個々の書架に配置される。また、照明部材を頭繋ぎ部材よりも低い位置に自由に設置でき、かつ隣接する書架の離間幅に関わらず、書架の棚部を常に最適な照度で照らすように設定でき、書架の棚部に収容された書籍の背表紙等を見やすくすることができる。
【０００８】
前記上方延長部は、床面から立設された前記書架の支柱に連結される延長支柱であることを特徴としている。
この特徴によれば、延長支柱を書架の支柱に連結するため、上方延長部の構造が簡素化され、製造コストを抑えることができる。また、既存の書架に対しても延長支柱を連結することにより、頭繋ぎ部材による他の書架との連結を適用できるようになり、汎用性が高い。
【０００９】
前記上方延長部が、上端から水平方向に前記アームが延設した下方分割体の上端に、上端面に前記頭繋ぎ部材が架設可能な上方分割体を連結したものであることを特徴としている。
この特徴によれば、分割構造体の組み合わせや大きさ、数量等を適宜設定することにより、上方延長部の態様を変化させることができ、アームや頭繋ぎ部材の高さ位置を調整することができる。
【００１０】
前記アームは、前記頭繋ぎ部材に対し上下方向に所定間隔を隔てて平行に設けられているとともに、１つの棚部に対して複数の前記アームが左右方向に所定間隔を隔てて設けられており、前記左右に隣接するアームの先端部同士の間に前記照明部材が架設されていることを特徴としている。
この特徴によれば、アームは、頭繋ぎ部材に対し上下方向に所定間隔を隔てて平行に設けられているため、左右のアームが同一の高さ位置に配置されることとなり、左右に隣接するアーム同士の間に架設される棒状の照明部材を平行に配置することができる。
【図面の簡単な説明】
【００１１】
【図１】実施例における多連式書架を示す斜視図である。
【図２】書架の上端部を示す斜視図である。
【図３】照明部材により書架の棚部を照らした状態を示す図である。
【発明を実施するための形態】
【００１２】
本発明に係る多連式書架を実施するための形態を実施例に基づいて以下に説明する。
【実施例】
【００１３】
実施例に係る多連式書架につき、図１から図３を参照して説明する。以下、図１及び図２の画面左下側を多連式書架の正面側（前方側）とし、書架の正面視左右側を多連式書架の左右側として説明する。
【００１４】
図１の符号１は、本発明の適用された多連式書架である。この多連式書架１は、前後方向に離間して複数配置された書架２，２，…と、書架２，２，…から上方に延びる延長支柱３，３，…（上方延長部）と、延長支柱３，３，…の各上端部に渡って水平に架設される頭繋ぎ部材４，４，…と、から主に構成されている。尚、隣接する書架２，２の間は、利用者の通路として利用されている。
【００１５】
図１及び図２に示されるように、書架２は、左右方向に複数立設される支柱５，５，…と、支柱５，５，…の上端及び下端を繋ぐ横杆部材６，６，…（上端の横杆部材のみ図示）と、支柱５，５，…の前後面に上下複数段設けられた棚部７，７，…と、を備えている。この棚部７，７，…には、複数の書籍８，８，…が収容可能と成っている。
【００１６】
図２に示されるように、支柱５は、押出成形により断面視矩形状に形成された金属製の剛性部材であり、支柱５の前後面には、上下に複数設けられる係合孔５ａ，５ａ，…が設けられているとともに、支柱５の上端部には、延長支柱３を取付ける取付孔５ｂ，５ｂ，…が設けられている。また、棚部７は、支柱５の係合孔５ａに係合可能なフック９，９，…を備えたブラケット１０，１０と、ブラケット１０，１０の間に配置される棚板１１とから成り、このブラケット１０のフック９，９，…を適宜選択した支柱５の係合孔５ａ，５ａ，…に係合させることで任意の高さに棚部７を形成できるようになっている。
【００１７】
上記のように形成された書架２は、前後方向に１本の支柱５が配された単支柱式の書架であることから、特に地震等の強い揺れにより前後に倒れやすくなっているが、図１に示したように、前述した頭繋ぎ部材４，４，…により、前後に配置された他の書架２，２，…が連鎖的に倒れることを防止している。
【００１８】
図２に示されるように、延長支柱３は、分割構造体としての下方分割体１２と上方分割体１３とを備えている。この下方分割体１２の下端部には、支柱５の上方から内部に挿入可能な突出片１４，１４が設けられているとともに、下方分割体１２の上端部には、アーム１５，１５が前後方向に頭繋ぎ部材４，４，…と平行に延びて設けられている。この突出片１４には、取付孔１４ａ，１４ａ，…が設けられており、ナット１６，１６，…が取付孔１４ａ，１４ａ，…の裏面側に固着されている。突出片１４，１４を支柱５に上方から内部に挿入することにより、支柱５の取付孔５ｂ，５ｂ，…と突出片１４の取付孔１４ａ，１４ａ，…とが重なり合うようになっており、重なり合った取付孔５ｂ，５ｂ，…及び取付孔１４ａ，１４ａ，…にボルト１７，１７，…を緊締することにより、支柱５に下方分割体１２が固定されるようになっている。
【００１９】
また、アーム１５は、前記した隣接する書架２，２の間の通路から見て棚部７の棚板１１の手前側端面１１ａよりもさらに手前側（通路側）に張り出している。左右に離間した支柱５，５の上部に固定された下方分割体１２，１２のアーム１５，１５の先端部には、張出部１５ａ，１５ａが設けられており、張出部１５ａ，１５ａには、左右に延びるＬＥＤ照明１８（照明部材）が架設される。
【００２０】
詳しくは、図２の拡大部に示されるように、ＬＥＤ照明１８には、左右方向に延びる溝１８ａが形成されており、この溝１８ａには、左右両端の開口から取付金具１９，１９が挿入される。取付金具１９，１９は、ネジ孔１９ａ，１９ａにネジ２３，２３を緊締し、そのネジ２３，２３の先端がＬＥＤ照明１８に押し付けられることにより固定される。その後、取付金具１９，１９の取付孔１９ｂ，１９ｂと張出部１５ａ，１５ａとがネジ２４，２４で連結されることで、アーム１５，１５間にＬＥＤ照明１８が架設される。尚、ＬＥＤ照明１８は、アーム１５，１５の先端部に取付けられる態様に限られず、棚板１１の手前側端面１１ａよりも手前側（通路側）に延びた部分であればどこに取付けられてもよい。
【００２１】
さらに、図２に示されるように、ＬＥＤ照明１８用の配線２２，２２，…は、床面から支柱５内及びアーム１５内部を通してＬＥＤ照明１８まで導入されている。このように、ＬＥＤ照明１８用の配線２２，２２，…を、支柱５内及びアーム１５内部を通して導入することができるため、外部から配線２２，２２，…が露見せず、美観に優れる。
【００２２】
また、図２に示されるように、上方分割体１３の下端部には、延長支柱３の上方から内部に挿入可能な突出片２０，２０が設けられているとともに、上方分割体１３の上端部には、頭繋ぎ部材用固定部２１，２１，…が前後に延びて形成されている。この上方分割体１３は、前記した支柱５と下方分割体１２との連結態様と同様に、突出片２０の取付孔２０ａ，２０ａ，…と下方分割体１２の筒胴部１２ｂに設けられた取付孔１２ａ，１２ａ，…とを重ね合わせ、ボルト１７，１７，…で緊締することにより、下方分割体１２に固定される。
【００２３】
また、図２に示されるように、頭繋ぎ部材４，４，…は、断面視略コ字形状を成す金属製の剛性部材であり、上方分割体１３の頭繋ぎ部材用固定部２１，２１，…を上方から被覆するように嵌合させた後、図示しないボルト・ナットなどにより固定されるようになっている。
【００２４】
上述したように、アーム１５，１５が延長支柱３の下方分割体１２に設けられており、そのアーム１５，１５の張出部１５ａ，１５ａにＬＥＤ照明１８が取付けられていることから、ＬＥＤ照明１８は、頭繋ぎ部材４，４，…よりも低い高さ位置に配置されるとともに、棚部７の棚板１１の手前側端面１１ａよりもさらに手前側（通路側）に張り出した棚部７の手前側近傍に配置されることとなる。このＬＥＤ照明１８，１８，…は、各棚部７，７，…を手前側から照らすように個々の書架２，２，…に配置される。
【００２５】
そのため、図３に示されるように、ＬＥＤ照明１８，１８，…を棚部７，７，…の手前側に向けることで、ＬＥＤ照明１８，１８，…の光が各棚部７，７，…に向けて手前側から適切に照射され、書架２，２，…に収容される書籍８，８，…の背表紙が確実に照らされることとなる。
【００２６】
また、部屋の大きさや使い勝手などの理由で、隣り合う書架２，２，…同士の間隔を調整した場合には、アーム１５，１５及び延長支柱３の態様を変更せずに頭繋ぎ部材４，４，…の長さを調整すればよいため、書架２の棚部７が常に所定の照度で照らされ、書籍８，８，…の背表紙が見やすい状態を保つことができる。
【００２７】
また、書架２の支柱５には、延長支柱３が連結されるため、頭繋ぎ部材４，４，…を上方で連結するための特段の部材を必要せず、構造が簡素化され、製造コストを抑えることができる。
【００２８】
また、頭繋ぎ部材４，４，…を架設していない既存の書架に対しても延長支柱３を連結することにより、頭繋ぎ部材４，４，…による他の書架との連結を適用できるようになり、汎用性が高い。
【００２９】
また、延長支柱３は、下方分割体１２と上方分割体１３とからなる分割構造であることから、大きさの異なる下方分割体と上方分割体とを複数種類用意すれば、アーム１５の高さ位置や頭繋ぎ部材４，４，…の高さ位置等を適宜調整して設定することができるため、汎用性が高く、使い勝手もよい。
【００３０】
また、アーム１５，１５は、左右の下方分割体１２，１２の上端部に設けられており、水平に延びる頭繋ぎ部材４，４，…に対し、上方分割体１３の長さ分下方の位置で平行に延びているため、左右のアーム１５，１５が同一の高さ位置に配置されることとなる。そのため、左右に隣接するアーム１５，１５同士の間に架設される棒状のＬＥＤ照明１８を平行に配置することができる。
【００３１】
尚、本実施例では、延長支柱３は、下方分割体１２と上方分割体１３とからなる２分割構造である態様について説明したが、これに限られず、３つ以上の分割構造体から構成されていてもよい。また、延長支柱３は、１つの部材からなり、必ずしも分割構造でなくても構わない。
【００３２】
更に尚、本実施例では、照明部材を指向性が高く、且つ左右に延びる棒状のＬＥＤ照明１８として説明したが、例えば、スポットライト等であってもよいし、指向性の低い蛍光灯等であってもよい。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、アーム１５が水平に延びる頭繋ぎ部材４，４，…と平行に延びていたが、必ずしも水平に延びる必要がなく、頭繋ぎ部材４，４，…に傾斜していてもよい。また、アーム１５，１５の間にＬＥＤ照明１８が架設される態様に限られず、１本のアームにＬＥＤ照明が取付けられてもよいし、３本以上のアームにＬＥＤ照明が支持されても構わない。
【符号の説明】
【００３５】
１                多連式書架
２                書架
３                延長支柱（上方延長部）
４                頭繋ぎ部材
５                支柱
７                棚部
８                書籍
１０              ブラケット
１１              棚板
１１ａ            手前側端面
１２              下方分割体（分割構造体）
１３              上方分割体（分割構造体）
１５              アーム
１８              ＬＥＤ照明（照明部材）
２２              配線
【図１】
2015134050.tif 000003
【図２】
2015134050.tif 000004
【図３】
2015134050.tif 000005